(57)【要約】【課題】  相対的に高温の高温側熱交換器の腐食を軽減する。【解決手段】  高温の粒子を供給して流動層を形成し熱回収を行う流動層熱交換器１２において、上流側熱交換手段として蒸発器１４を配すると共に、蒸発器１４を流通する水よりも高温の蒸気が流通する過熱器１５を、流動層熱交換器１２内の粒子の移動方向に対して蒸発器１４の下流側に配し、相対的に高温の過熱器１５の腐食を軽減する。【選択図】        図１
2005090836.tif 000002
【特許請求の範囲】
【請求項１】
高温の粒子を供給して流動層を形成し熱回収を行う流動層熱交換器において、
上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に配した
ことを特徴とする流動層熱交換器。
【請求項２】
高温の粒子を供給して流動層を形成し熱回収を行う流動層熱交換器において、
上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に所定の間隔をあけて配した
ことを特徴とする流動層熱交換器。
【請求項３】
高温の粒子を供給して流動層を形成し熱回収を行う流動層熱交換器において、
上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に配し、
流体を粒子の移動方向に交差する方向から上流側熱交換手段及び高温側熱交換手段に供給する供給手段を設けた
ことを特徴とする流動層熱交換器。
【請求項４】
高温の粒子を供給して流動層を形成し熱回収を行う流動層熱交換器において、
上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に所定の間隔をあけて配し、
流体を粒子の移動方向に交差する方向から上流側熱交換手段及び高温側熱交換手段に供給する供給手段を設けた
ことを特徴とする流動層熱交換器。
【請求項５】
高温の粒子を供給して流動層を形成し熱回収を行う流動層熱交換器において、
上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に配し、
流体を上流側熱交換手段と高温側熱交換手段との間に供給する流体供給手段を設けた
ことを特徴とする流動層熱交換器。
【請求項６】
請求項１乃至請求項５のいずれか一項に記載の流動層熱交換器において、
上流側熱交換手段は蒸発器または節炭器、低温過熱器、低温再熱器であり、高温側熱交換手段は過熱器または再熱器であることを特徴とする流動層熱交換器。
【請求項７】
請求項６に記載の流動層熱交換器において、
蒸発器の流体流通路として、炭素鋼管の外周に耐腐食材料を肉盛溶接した肉盛管を用いたことを特徴とする流動層熱交換器。
【請求項８】
請求項６に記載の流動層熱交換器において、
蒸発器の流体流通路として、炭素鋼管の外側にステンレス管を機械的に圧着した密着二重管を用いたことを特徴とする流動層熱交換器。
【請求項９】
燃料を燃焼する火炉と、
火炉からの排出ガスから高温の粒子を分離するサイクロンと、
サイクロンで処理された粒子が流量調整されて供給される請求項１乃至請求項８のいずれかに記載の流動層熱交換器と、
流動層熱交換の上流側熱交換手段及び高温側熱交換手段で熱回収された粒子を火炉に送る供給路と
を備えたことを特徴とするボイラ装置。
【発明の詳細な説明】
【技術分野】
【０００１】
本発明は、循環流動層ボイラ等における過熱器などの相対的に高温の熱交換器の腐食を軽減した流動層熱交換器に関する。
【背景技術】
【０００２】
従来から流動層ボイラにおける過熱器、再熱器、蒸発器、節炭器等の熱交換器機器の配置には、
（１）火炉内及びサイクロン下流の煙道内に過熱器を設ける構成、
（２）サイクロンで分離した粒子の一部又は全部を、火炉とは独立させて設けられた流動層熱交換器内に流動層を形成し、該流動層内に過熱器や蒸発器の管群を配設する構成が知られている。
【０００３】
腐食成分を含有した燃料、典型的には産業廃棄物や都市ごみ、ＲＤＦ等を燃焼すると、排出ガス中に塩化水素ガスや塩素ガスの腐食性ガスが生成される。（１）の構成のように、腐食性ガスが高温下で存在する燃焼器内部や煙道中に高温となる過熱器を配設すると、この過熱器は激しい高温腐食を受けることが知られている。そこで、（２）の構成のように、煙道には比較的低温の過熱器を配設し、高温の過熱器は火炉とは独立した熱交換器室内に設ける構成を採用することが検討されており、特に、廃棄物焚き流動層ボイラでは有効な構成となっている。
【０００４】
一般的に、流動層内では粒子の混合、拡散が良好であり、層内温度は均一に保たれると言われている。巨視的には流動層内部は均一な温度分布を有していると言えるが、流動層熱交換器のように高温粒子が流動層内部の特定部位に導入される場合には、熱交換器の室内に粒子の温度分布が形成され、サイクロンから高温の粒子が供給される部分が局所的に高温となり、粒子を排出する側が低温となる。そこで、通常は伝熱面の効率的な配置を考慮して高温側に高温過熱器が配置され低温側に蒸発器が配置されている。
【０００５】
つまり、流動層熱交換器の内部に高温過熱器と蒸発器を配置され、高温過熱器は、流動層熱交換器内の粒子の高温過熱器から火炉へ向かう流れに関して上流側に配設され、蒸発器は下流側の低温部に配設されている。
【０００６】
ところが、流動層熱交換器において高温側に配設された過熱器の一部は、サイクロンからの約８５０度から９００度の高温の粒子と直接接触するので、その表面において高温腐食が観察されることがある。
【０００７】
流動層熱交換器の分野で高温腐食を防止する従来技術としては、例えば、特許文献１が知られている。
【０００８】
【特許文献１】特開２０００−２５７８０７号公報
【発明の開示】
【課題を解決するための手段】
【０００９】
本発明は、上記従来技術に鑑みてなされたもので、循環流動層ボイラにおける過熱器等の相対的に高温の熱交換器の腐食を軽減した流動層熱交換器を提供することを目的とする。
また、過熱器等の相対的に高温の熱交換器の腐食を軽減した流動層熱交換器を備えたボイラ装置を提供することを目的とする。
【００１０】
上記課題を解決する請求項１の本発明の流動層熱交換器は、
高温の粒子を供給して流動層を形成し熱回収を行う流動層熱交換器において、
上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に配した
ことを特徴とする。
【００１１】
また、上記課題を解決する請求項２の本発明の流動層熱交換器は、
高温の粒子を供給して流動層を形成し熱回収を行う流動層熱交換器において、
上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に所定の間隔をあけて配した
ことを特徴とする。
【００１２】
また、上記課題を解決する請求項３の本発明の流動層熱交換器は、
高温の粒子を供給して流動層を形成し熱回収を行う流動層熱交換器において、
上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に配し、
流体を粒子の移動方向に交差する方向から上流側熱交換手段及び高温側熱交換手段に供給する供給手段を設けた
ことを特徴とする。
【００１３】
また、上記課題を解決する請求項４の本発明の流動層熱交換器は、
高温の粒子を供給して流動層を形成し熱回収を行う流動層熱交換器において、
上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に所定の間隔をあけて配し、
流体を粒子の移動方向に交差する方向から上流側熱交換手段及び高温側熱交換手段に供給する供給手段を設けた
ことを特徴とする。
【００１４】
また、上記課題を解決する請求項５の本発明の流動層熱交換器は、
高温の粒子を供給して流動層を形成し熱回収を行う流動層熱交換器において、
上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に配し、
流体を上流側熱交換手段と高温側熱交換手段との間に供給する流体供給手段を設けた
ことを特徴とする。
【００１５】
そして、請求項６の本発明は、
請求項１乃至請求項５のいずれか一項に記載の流動層熱交換器において、
上流側熱交換手段は蒸発器であり、高温側熱交換手段は過熱器であることを特徴とする。
【００１６】
また、請求項７の本発明は、
請求項６に記載の流動層熱交換器において、
蒸発器の流体流通路として、炭素鋼管の外周に耐腐食材料を肉盛溶接した肉盛管を用いたことを特徴とする。
【００１７】
また、請求項８の本発明は、
請求項６に記載の流動層熱交換器において、
蒸発器の流体流通路として、炭素鋼管の外側にステンレス管を機械的に圧着した密着二重管を用いたことを特徴とする。
【００１８】
上記課題を解決する請求項９の本発明のボイラ装置は、
燃料を燃焼する火炉と、
火炉からの排出ガスから高温の粒子を分離するサイクロンと、
サイクロンで処理された粒子が流量調整されて供給される請求項１乃至請求項８のいずれかに記載の流動層熱交換器と、
流動層熱交換の上流側熱交換手段及び高温側熱交換手段で熱回収された粒子を火炉に送る供給路と
を備えたことを特徴とする。
【発明の効果】
【００１９】
請求項１の本発明では、高温側熱交換手段を下流側に配置したことにより、相対的に高温の高温側熱交換器の腐食が軽減される。
【００２０】
請求項２の本発明では、所定の間隔をあけて高温側熱交換手段を下流側に配置したことにより、高温側熱交換手段に高温の粒子が直接至らず、相対的に高温の高温側熱交換器の腐食が軽減される。
【００２１】
請求項３の本発明では、高温側熱交換手段を下流側に配置して粒子の移動方向に交差する方向から流体を供給することで、高温側熱交換手段に高温の粒子が直接至らず、相対的に高温の高温側熱交換器の腐食が軽減される。
【００２２】
請求項４の本発明では、所定の間隔をあけて高温側熱交換手段を下流側に配置し、粒子の移動方向に交差する方向から流体を供給することで、高温側熱交換手段に高温の粒子が直接至らず、相対的に高温の高温側熱交換器の腐食が軽減される。
【００２３】
請求項５の本発明では、高温側熱交換手段を下流側に配置し、粒子の移動方向に交差する方向から遮断流体を供給することで、高温側熱交換手段に高温の粒子が直接至らず、相対的に高温の高温側熱交換器の腐食が軽減される。
【００２４】
そして、請求項６の本発明では、蒸発器と過熱器を備えた流動層熱交換器とすることができる。
【００２５】
また、請求項７の本発明では、炭素鋼管の外周に耐腐食材料を肉盛溶接した肉盛管を蒸発器の流体流通路に用いたことで管内面の応力腐食割れを抑制して管外面の耐腐食性を向上させることができる。
【００２６】
また、請求項８の本発明は、
請求項６に記載の流動層熱交換器において、
蒸発器の流体流通路として、炭素鋼管の外側にステンレス管を機械的に圧着した密着二重管を用いたことで管内面の応力腐食割れを抑制して管外面の耐腐食性を向上させることができる。
【００２７】
請求項９の本発明では、相対的に高温の高温側熱交換器の腐食が軽減された流動層熱交換器を備えたボイラ装置とすることができる。
【発明を実施するための最良の形態】
【００２８】
以下に本発明の実施の形態を図面に基づき詳細に説明する。
【００２９】
図１には本発明の一実施形態例に係る流動層熱交換器を備えたボイラ装置（流動層ボイラ）の概略構成、図２には流動層熱交換器の概略構成、図３には熱交換手段の管配置の一例を表す概略構成、図４には肉盛管の外観説明、図５には密着二重管の外観説明、図６には流動層熱交換器における粒子の温度状況の一例を示してある。
【００３０】
図１に示すように、ボイラ装置としての流動層ボイラ１は、火炉２と、火炉２から排出される燃焼ガスと粒子とを含む固気二層流から粒子を分離するためのサイクロン３と、粒子が分離された燃焼ガスを煙突４に導くための煙道５とを備えている。煙道５には過熱器や節炭器等の蒸気発生用の機器類６が備えられ、機器類６には給水設備から給水が行われて蒸気が発生され、発生した蒸気は蒸気タービン設備に送られる。
【００３１】
サイクロン３は導管７を介してシールポット８に接続され、シールポット８は導管９を介して火炉２に接続されると共に、灰取出調整弁１０及び導管１１を介して、火炉２とは独立させて設けられた流動層熱交換器１２の入口側に接続されている。流動層熱交換器１２の出口側は、供給路１３を介して火炉２に接続され、流動層熱交換器１２で熱回収された粒子が火炉２に送られる。
【００３２】
図１、図２に示すように、流動層熱交換器１２の入口寄りには、水が流通する上流側熱交換手段としての蒸発器１４が配設されている。蒸発器１４を流通する水よりも高温の流体である蒸気が流通する高温側熱交換手段としての過熱器１５が、流動層熱交換器１２内の粒子の移動方向に対して蒸発器１４の下流側に所定の間隔Ｓ（図２参照）をあけて配設されている。
【００３３】
蒸発器１４及び過熱器１５は同一室内に間隔Ｓをあけて配置されているので、高温の粒子が蒸発器１４を流通する前に過熱器１５に送られることがない。このため、過熱器１５の高温腐食が軽減される。
【００３４】
流動層熱交換器１２の下部には、粒子に混合される燃焼用の空気が蒸発器１４及び過熱器１５に向けて供給される供給手段としての管路１６が接続され、管路１６は図示しないブロア、ファン、コンプレッサ等の空気供給源に接続されている。管路１６から供給される空気は、蒸発器１４及び過熱器１５に向けて、粒子の移動方向（図２中右から左）に対して交差する方向（図２中上方向）に供給され、流動層熱交換器１２内の蒸発器１４及び過熱器１５を流通する粒子が空気によりバブリングされる。
【００３５】
粒子に混合される空気が粒子の移動方向に交差する方向から蒸発器１４及び過熱器１５に供給されるので、高温の粒子が蒸発器１４を流通する前に過熱器１５に送られることがない。このため、過熱器１５に高温の粒子が直接至らず、過熱器１５の高温腐食が軽減される。
【００３６】
燃焼用空気は、従来公知となっているように、一次空気及び二次空気に分けられ、火炉２の底から一次空気が供給されると共に、火炉２の中間部位から二次空気が供給される。また、火炉２への燃焼空気の二次空気の一部を直接火炉２に供給して残りを流動層熱交換器１２から供給するようにしてもよい。
【００３７】
尚、図２に示すように、蒸発器１４と過熱器１５との間に遮断流体として燃焼用の空気を供給する遮断流体供給手段としての管路１７を設けることも可能である。粒子の移動方向に交差する方向から遮断流体として燃焼用の空気を管路１７から供給することで、過熱器１５に高温の粒子が直接至らず、過熱器１５の高温腐食が軽減される。
【００３８】
尚、流動層熱交換器１２に配される上流側熱交換手段及び高温側熱交換手段としては、上流側に比べて高温側熱交換手段が相対的に高温の熱交換手段であれば、節炭器や低温過熱器、再熱器等を適宜適用することが可能である。
【００３９】
蒸発器１４の流体通路としては、例えば、図３に示したように、横置き型の管群２１が採用される。蒸発器１４には水が流通するため、応力腐食割れを抑制するために炭素鋼等が使用されている。
【００４０】
炭素鋼の耐腐食性を向上させるために、図４に示したように、管群２１を構成する炭素鋼の管２２の外周には、耐腐食性材料であるクロム含有物が肉盛溶接されている。即ち、管２２に軸方向または円周方向に延びる溶接ビード２３が全周にわたり形成された肉盛管２４で構成されている。図４（a）は肉盛管２４の要部の斜視状況、図４（b）は肉盛管２４の断面である。
【００４１】
尚、耐腐食性材料であるクロム含有物を溶射により管２２の全周にわたり形成することも可能である。
【００４２】
管群２１の他の例として、炭素鋼の耐腐食性を向上させるために、図５に示したように、管群２１を構成する炭素鋼の管２２の外周にステンレス管２５を機械的に圧着（引き抜き加工等）した密着二重管２６を適用することも可能である。図５（a）は密着二重管２６の要部の斜視状況、図５（b）は密着二重管２６の断面である。
【００４３】
尚、肉盛管２４や密着二重管２６を流動層熱交換器１２の蒸発器１４以外の熱交換器として用いたり、他の流体機器を構成する管として用いることも可能である。
【００４４】
上述した流動層ボイラ１の作用を説明する。
【００４５】
循環流動層ボイラでは、火炉２内で燃料の灰分を主成分として他に未燃のチャー、脱硫反応で生成された硫酸カルシウム、石灰石から生成された酸化カルシウム等を含む粒子と空気とが高温、高速の固気二層流を形成して火炉２内を上昇する。
【００４６】
火炉２から排出された固気二層流はサイクロン３において、粒子と燃焼ガスとに分離される。サイクロン３で分離された燃焼ガスは煙道５を通過する際に過熱器や低温過熱器、節炭器等の機器類６で熱回収され、煙突４から大気に放出される。機器類６には給水手段から給水され、機器類６で発生した蒸気は蒸気タービン設備に送られて、例えば、電気エネルギーとされる。
【００４７】
尚、図示は省略してあるが、燃料としての廃棄物は火炉２の内部において下方部位の一次燃焼領域に供給される。
【００４８】
サイクロン３で分離された粒子は、導管７によりシールポット８に移送される。灰取出調整弁１０の制御により、シールポット８の一部の粒子がシールポット８から導管９を介して火炉２に供給される。残りの粒子は灰取出調整弁１０及び導管１１を通って流動層熱交換器１２に供給される。
【００４９】
こうして、流動層熱交換器１２に供給された粒子は、流動層熱交換器１２に溜り管路１６からの燃焼用空気により流動化して流動層を形成する。
【００５０】
流動層熱交換器１２に流入する粒子は、例えば、約８５０度から９００度の高温になっており、相対的に低温側の蒸発器１４で熱回収されて、例えば、約６００度強から約７００度以下の温度になり、相対的に高温側の過熱器１５に送られて熱回収される。最終的に、例えば、約６００度に熱回収された粒子は燃焼用空気と共に火炉２に供給される。
【００５１】
蒸発器１４及び過熱器１５は同一室内に間隔Ｓをあけて配置され、粒子に混合される空気が粒子の移動方向に交差する方向から蒸発器１４及び過熱器１５に供給されるので、高温の粒子が蒸発器１４を流通する前に過熱器１５に送られることがない。このため、粒子の温度分布を示した図６に示すように、例えば、約８５０度で流入した粒子が蒸発器１４で熱回収されて、例えば、約７００度以下の温度に漸次減少し、更に過熱器１５で熱回収されて、例えば、約６００度にされて火炉２に供給される。
【００５２】
従って、粒子の温度低下がなだらかな分布となり、過熱器１５に接触する粒子の温度を低下させて高温腐食環境が緩和される。
【００５３】
過熱器１５を流通する作動流体は蒸発器１４を流通する水よりも相対的に高温の蒸気であるため、過熱器１５は熱的に厳しい条件となり表面において高温腐食（硫酸腐食、塩酸腐食）が発生しやすくなる。
【００５４】
本実施形態例では、過熱器１５は蒸発器１４の下流側に配置されているため、過熱器１５を流通する粒子は蒸発器１４で熱回収されて低温（例えば、７００度以下）となる。このため、過熱器１５のエレメント管には低温の粒子が接触して高温部が形成されることが防止され、過熱器１５の高温腐食が軽減される。
【００５５】
蒸発器１４及び過熱器１５は同一室内に間隔Ｓをあけて配置されているので、高温の粒子が蒸発器１４を流通する前に過熱器１５に送られることがない。このため、過熱器１５の高温腐食が軽減される。
【００５６】
上述した実施形態例では、高温側と低温側の熱交換手段（蒸発器１４及び過熱器１５）を２つ設けた例を挙げて説明したが、３つ以上の熱交換手段を設けることも可能である。
【００５７】
上述した流動層熱交換器１２は、一つの部屋に蒸発器１４及び過熱器１５を配置した構成となっているので、仕切壁などがなく構造が簡素化されてコストダウンを図ることができる。また、高温の粒子の温度降下が徐々に行われるため、下流側の過熱器１５に接触する粒子の温度を低下させることができ、高温腐食環境を緩和させることが可能になる。
【産業上の利用可能性】
【００５８】
請求項１の本発明では、高温の粒子を供給して流動層を形成し熱回収を行う流動層熱交換器において、上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に配したので、相対的に高温の高温側熱交換器の腐食が軽減される。
【００５９】
また、請求項２の本発明では、高温の粒子を供給して流動層を形成し熱回収を行う流動層熱交換器において、上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に所定の間隔をあけて配したので、高温側熱交換手段に高温の粒子が直接至らず、相対的に高温の高温側熱交換器の腐食が軽減される。
ことを特徴とする。
【００６０】
また、請求項３の本発明は、高温の粒子を供給して流動層を形成し熱回収を行う流動層熱交換器において、上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に配し、粒子に混合される流体を粒子の移動方向に交差する方向から上流側熱交換手段及び高温側熱交換手段に供給する供給手段を設けたので、高温側熱交換手段に高温の粒子が直接至らず、相対的に高温の高温側熱交換器の腐食が軽減される。
【００６１】
また、請求項４の本発明は、高温の粒子を供給して流動層を形成し熱回収を行う流動層熱交換器において、上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に所定の間隔をあけて配し、粒子に混合される流体を粒子の移動方向に交差する方向から上流側熱交換手段及び高温側熱交換手段に供給する流体供給手段を設けたので、高温側熱交換手段に高温の粒子が直接至らず、相対的に高温の高温側熱交換器の腐食が軽減される。
【００６２】
また、請求項５の本発明は、高温の粒子を供給して流動層を形成し熱回収を行う流動層熱交換器において、上流側熱交換手段を配すると共に、該上流側熱交換手段を流通する流体よりも高温の流体が流通する高温側熱交換手段を、流動層熱交換器内の粒子の移動方向に対して該上流側熱交換手段の下流側に配し、流体を上流側熱交換手段と高温側熱交換手段との間に供給する遮断流体供給手段を設けたので、高温側熱交換手段に高温の粒子が直接至らず、相対的に高温の高温側熱交換器の腐食が軽減される。
【００６３】
そして、請求項６の本発明は、請求項１乃至請求項５のいずれか一項に記載の流動層熱交換器において、上流側熱交換手段は蒸発器であり、高温側熱交換手段は過熱器であるので、蒸発器と過熱器を備えた流動層熱交換器とすることができる。
【００６４】
また、請求項７の本発明は、請求項６に記載の流動層熱交換器において、蒸発器の流体流通路として、炭素鋼管の外周に耐腐食材料を肉盛溶接した肉盛管を用いたので、管内面の応力腐食割れを抑制して管外面の耐腐食性を向上させることができる。
【００６５】
また、請求項８の発明は、請求項６に記載の流動層熱交換器において、蒸発器の流体流通路として、炭素鋼管の外側にステンレス管を機械的に圧着した密着二重管を用いたことで管内面の応力腐食割れを抑制して管外面の耐腐食性を向上させることができる。
【００６６】
請求項９の本発明のボイラ装置は、燃料を燃焼する火炉と、火炉からの排出ガスから高温の粒子を分離するサイクロンと、サイクロンで処理された粒子が流量調整されて供給される請求項１乃至請求項８のいずれかに記載の流動層熱交換器と、流動層熱交換の上流側熱交換手段及び高温側熱交換手段で熱回収された粒子を火炉に送る供給路とを備えたので、相対的に高温の高温側熱交換器の腐食が軽減された流動層熱交換器を備えたボイラ装置とすることができる。
【図面の簡単な説明】
【００６７】
【図１】本発明の一実施形態例に係る流動層熱交換器を備えたボイラ装置（流動層ボイラ）の概略構成図である。
【図２】流動層熱交換器の概略構成図である。
【図３】熱交換手段の管配置の一例を表す概略構成図である。
【図４】肉盛管の外観説明図である。
【図５】密着二重管の外観説明図である。
【図６】流動層熱交換器における粒子の温度状況の一例を表すグラフである。
【符号の説明】
【００６８】
１  流動層ボイラ
２  火炉
３  サイクロン
４  煙突
５  煙道
６  機器類
７，９，１１  導管
８  シールポット
１０  灰取出調整弁
１２  流動層熱交換器
１３  供給路
１４  蒸発器
１５  過熱器
１６，１７  管路
２１  管群
２２  管
２３  溶接ビード
２４  肉盛管
２５  ステンレス管
２６  密着二重管
【図１】
2005090836.tif 000003
【図２】
2005090836.tif 000004
【図３】
2005090836.tif 000005
【図４】
2005090836.tif 000006
【図５】
2005090836.tif 000007
【図６】
2005090836.tif 000008